【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
画像プロセッサを用いて、偏光識別インディシアをリアルタイムで検出する方法であって、該方法は、
複数のピクセルを有する画像データのフレームを画像デバイスから提供することであって、各ピクセルは、偏光強度情報を含む、ことと、
該画像プロセッサを用いて、該偏光強度情報から、該複数のピクセルのそれぞれに対する強度値を決定することと、
該画像プロセッサを用いて、ある強度範囲内の強度値を有する該複数のピクセルの第一の部分を選択することと、
該第一の部分における該複数のピクセルのそれぞれに対する直線偏光の程度の値を決定することと、
該画像プロセッサを用いて、許容範囲内の類似の直線偏光の角度の値を有する該第一の部分における該ピクセルを分析することによって、該画像データ内の該偏光識別インディシアを検出することと
を包含する、方法。
【請求項２】
前記第一の部分から前記複数のピクセルの第二の部分を選択することをさらに包含し、該第二の部分は、ある直線偏光の程度の範囲内の直線偏光の程度の値を有する、請求項１に記載の方法。
【請求項３】
分析することは、前記第一の部分における前記複数のピクセルを一つ以上の群に集めることを包含し、各群は、類似の直線偏光の角度の値を有する、請求項１に記載の方法。
【請求項４】
分析することは、一つの群に集めるための、ある距離範囲内の互いからの距離を有する前記ピクセルを選択することを包含する、請求項３に記載の方法。
【請求項５】
分析することは、あるサイズ範囲内のサイズを有する群を選択することを包含する、請求項３に記載の方法。
【請求項６】
前記偏光強度情報は、画像デバイスの垂直視軸に対する、水平直線偏光、垂直直線偏光、および４５°直線偏光の情報を備えている、請求項１に記載の方法。
【請求項７】
前記偏光識別インディシアを強調することと、
前記画像データに重なり合う該強調された偏光識別インディシアとともに前記画像データのフレームを表示することと
をさらに包含する、請求項１に記載の方法。
【請求項８】
前記偏光識別インディシアを識別することをさらに包含する、請求項１に記載の方法。
【請求項９】
識別することは、
前記第一の部分における前記複数のピクセルを一つ以上の群に集めることであって、各群は、類似の直線偏光の角度の値を有する、ことと、
該一つ以上の群を対応するコードエレメントと関連付けることと、
該コードエレメントを分析することと
を包含する、請求項８に記載の方法。
【請求項１０】
前記コードエレメントを分析することは、該コードエレメントを偏光識別特性のデータベースと比較することを包含する、請求項９に記載の方法。
【請求項１１】
前記画像データのフレームは、格納されたビデオ画像またはストリーミングビデオ画像から提供される、請求項１に記載の方法。
【請求項１２】
画像プロセッサを用いて、偏光識別インディシアをリアルタイムで検出する方法であって、該方法は、
複数のピクセルを有する画像データのフレームを画像デバイスから提供することであって、各ピクセルは、偏光強度情報を含む、ことと、
該画像プロセッサを用いて、該偏光強度情報から、該複数のピクセルのそれぞれに対する強度値を決定することと、
該画像プロセッサを用いて、ある強度範囲内の強度値を有する該複数のピクセルの第一の部分を選択することと、
該画像プロセッサを用いて、該第一の部分における該複数のピクセルのそれぞれに対する直線偏光の程度の値を決定することと、
該画像プロセッサを用いて、該複数のピクセルの第二の部分を該第一の部分から選択することであって、該第二の部分は、ある直線偏光の程度の範囲内の直線偏光の程度の値を有する、ことと、
該画像プロセッサを用いて、許容範囲内の類似の直線偏光の角度の値を有する該第二の部分における該ピクセルを分析することによって、該画像データ内の該偏光識別インディシアを検出することと
を包含する、方法。
【請求項１３】
分析することは、前記第二の部分における前記複数のピクセルを一つ以上の群に集めることを包含し、各群は、類似の直線偏光の角度の値を有する、請求項１２に記載の方法。
【請求項１４】
分析することは、一つの群に集めるための、ある距離範囲内の互いからの距離を有する前記ピクセルを選択することを包含する、請求項１３に記載の方法。
【請求項１５】
分析することは、あるサイズ範囲内のサイズを有する群を選択することを包含する、請求項１３に記載の方法。
【請求項１６】
前記偏光識別インディシアを強調することと、
前記画像データに重なり合う該強調された偏光識別インディシアとともに前記画像データのフレームを表示することと
をさらに包含する、請求項１２に記載の方法。
【請求項１７】
前記偏光識別インディシアを識別することをさらに包含する、請求項１２に記載の方法。
【請求項１８】
識別することは、
前記第二の部分における前記複数のピクセルを一つ以上の群に集めることであって、各群は、類似の直線偏光の角度の値を有する、ことと、
該一つ以上の群を対応するコードエレメントと関連付けることと、
該コードエレメントを分析することと
を包含する、請求項１７に記載の方法。
【請求項１９】
偏光識別インディシアをリアルタイムで検出する、コンピュータシステム上で使用するコンピュータプログラム製品であって、該コンピュータプログラム製品は、コンピュータ読み取り可能な格納媒体を備え、該コンピュータ読み取り可能な格納媒体は、コンピュータ読み取り可能なプログラムコードを有し、該コンピュータ読み取り可能なプログラムコードは、
複数のピクセルを有する画像データに対する強度値を決定するためのプログラムコードであって、各ピクセルは、偏光強度情報を含む、プログラムコードと、
ある強度範囲内の強度値を有する該複数のピクセルの第一の部分を選択するためのプログラムコードと、
該第一の部分における該複数のピクセルのそれぞれに対する直線偏光の程度の値を決定するためのプログラムコードと、
許容範囲内の直線偏光の角度の値を有する該第一の部分における該ピクセルを分析することによって、該画像データ内の該偏光識別インディシアを検出するためのプログラムコードと
を備えている、コンピュータプログラム製品。
【請求項２０】
前記コンピュータ読み取り可能なプログラムコードは、
前記第一の部分から前記複数のピクセルの第二の部分を選択するためのプログラムコードであって、該第二の部分は、ある直線偏光の程度の範囲内の直線偏光の程度の値を有する、プログラムコード
をさらに備えている、請求項１９に記載のコンピュータプログラム製品。
【請求項２１】
前記ピクセルを分析するための前記コンピュータ読み取り可能なプログラムコードは、前記第一の部分における前記複数のピクセルを一つ以上の群に集めることをさらに含み、各群は、類似の直線偏光の角度の値を有する、請求項１９に記載のコンピュータプログラム製品。
【請求項２２】
前記ピクセルを分析するための前記コンピュータ読み取り可能なプログラムコードは、一つの群に集約するための、ある距離範囲内の互いからの距離を有する該ピクセルを選択することをさらに含む、請求項２１に記載のコンピュータプログラム製品。
【請求項２３】
前記ピクセルを分析するための前記コンピュータ読み取り可能なプログラムコードは、あるサイズ範囲内のサイズを有する群を選択することをさらに含む、請求項２１に記載のコンピュータプログラム製品。
【請求項２４】
前記コンピュータ読み取り可能なプログラムコードは、
前記偏光識別インディシアを強調するためのプログラムコードと、
前記画像データに重なり合う該強調された偏光識別インディシアとともに前記画像データのフレームを表示するためのプログラムコードと
をさらに備えている、請求項１９に記載のコンピュータプログラム製品。
【請求項２５】
前記コンピュータ読み取り可能なプログラムコードは、前記偏光識別インディシアを識別することをさらに含む、請求項１９に記載のコンピュータプログラム製品。
【請求項２６】
前記偏光識別インディシアを識別するための前記コンピュータ読み取り可能なプログラムコードは、
前記第二の部分における前記複数のピクセルを一つ以上の群に集めるためのプログラムコードであって、各群は、類似の直線偏光の角度の値を有する、プログラムコードと、
該一つ以上の群を対応するコードエレメントと関連付けるためのプログラムコードと、
該コードエレメントを分析するためのプログラムコードと
をさらに備えている、請求項２５に記載のコンピュータプログラム製品。
【請求項２７】
偏光識別インディシアをリアルタイムで検出するシステムであって、
複数のピクセルを有する画像データのフレームを受信するための画像デバイスであって、各ピクセルは、偏光強度情報を含む、画像デバイスと、
該偏光強度情報から、該複数のピクセルのそれぞれに対する強度値を決定することと、ある強度範囲内の強度値を有する該複数のピクセルの第一の部分を選択することと、該第一の部分における該複数のピクセルのそれぞれに対する直線偏光の程度の値を決定することと、許容範囲内の類似の直線偏光の角度の値を有する該第一の部分における該ピクセルを分析することによって、該画像データ内の該偏光識別インディシアを検出することとを行うように構成されている画像プロセッサと
を備えている、システム。
【請求項２８】
前記画像プロセッサは、さらに、
前記第一の部分から前記複数のピクセルの第二の部分を選択し、該第二の部分は、ある直線偏光の程度の範囲内に、直線偏光の程度の値を有する、請求項２７に記載のシステム。
【請求項２９】
分析することは、前記第一の部分における前記複数のピクセルを一つ以上の群に集めることを包含し、各群は、類似の直線偏光の角度の値を有する、請求項２７に記載のシステム。
【請求項３０】
前記画像プロセッサは、さらに、前記偏光識別インディシアを強調し、前記システムは、
前記画像データに重なり合う、該強調された偏光識別インディシアとともに前記画像データのフレームを表示するためのディスプレイをさらに備えている、請求項２７に記載のシステム。
【請求項３１】
前記画像プロセッサは、さらに、前記偏光識別インディシアを識別する、請求項２７に記載のシステム。
【請求項３２】
識別することは、
前記第一の部分における前記複数のピクセルを一つ以上の群に集めることであって、各群は、類似の直線偏光の角度の値を有する、ことと、
該一つ以上の群を対応するコードエレメントと関連付けることと、
該コードエレメントを分析することと
を包含する、請求項３１に記載のシステム。